(57)【特許請求の範囲】
【請求項１】
桿部と、軸方向の一端が開口した筒形状を有し前記開口側とは反対側の端部に前記桿部の一端が連結されると共に前記開口側の端部に開口面と平行に配置された雪切断部材を備える試料採取部とを有し、積雪に差し込まれた前記試料採取部が回転することによって前記雪切断部材が前記試料採取部の前記開口側の端部で開口面と平行に回転して前記試料採取部内に取り込んだ雪と前記試料採取部の外側の雪とを切断することを特徴とする雪試料採取器。
【請求項２】
前記桿部に支点支持部材及び水準器が備えられると共に、前記支点支持部材に対して前記試料採取部が連結する側と反対側に前記桿部に沿って移動する分銅を更に有することを特徴とする請求項１記載の雪試料採取器。
【請求項３】
前記桿部が折り曲げ可能であることを特徴とする請求項１記載の雪試料採取器。
【発明の詳細な説明】
【技術分野】
【０００１】
本発明は、雪試料採取器に関する。さらに詳述すると、本発明は、例えば地面の積雪や架線に着雪した雪など（以下、単に積雪と表記する）の密度を測定するための一定容積の雪試料の採取に用いられる雪試料採取器に関する。
【背景技術】
【０００２】
積雪の密度を測定する際に用いられる積雪試料を採取する従来の器具としては、例えば、円筒型とも呼ばれるタイプであって、定量の容積に形成され先端が開口している金属性のバレルを用いたものがある（非特許文献１）。円筒型に分類されるバレルを用いる場合には、具体的には、バレルを積雪に差し込んでバレルの内部を積雪で満たし、その後バレルを引き抜いて雪試料を採取するようにしている。
【０００３】
また、マス型とも呼ばれるタイプであって、定量の容積に形成されたさじ部分を有するスコップを用いたものがある。マス型に分類されるスコップを用いる場合には、具体的には、スコップのさじ部分で積雪を掬い、掬った雪をスコップとは別体のへらをさじ部分の縁を沿わせてすり切って一定容積の雪試料を採取するようにしている。
【０００４】
【非特許文献１】末松耕平 他：涵養量測定，北海道大学大学院環境科学院，２００６年
【発明の開示】
【発明が解決しようとする課題】
【０００５】
しかしながら、従来の円筒型の雪試料採取器では、バレルを積雪に差し込んだ後にバレル内に取り込んだ雪とバレル外側の積雪とをバレルの開口端面で切断するようにはしていない。したがって、バレルを積雪に差し込んで内部に雪試料を取り込んだ状態ではバレル内に取り込んだ雪試料とバレル外側の積雪とはバレル先端の開口部分において繋がっており未だ一体であるので、バレルを積雪に差し込んでから引き抜く際に、バレル先端の開口部分の雪試料が抉られてしまって一定容積の試料が得られなかったり、バレル内に一旦取り込んだ雪試料もバレルからそっくり抜けてしまいそのまま積雪の中に残って試料採取ができなかったりする。このため、積雪の密度の正確な測定ができず、また、やり直しの手間がかかるという問題がある。
【０００６】
また、従来のマス型の雪試料採取器では、スコップのさじ部分で掬った雪をへらですり切る作業が必要であり、その分の手間と時間とがかかる。このため、特に、多数のサンプルを採取する場合は最適な器具とは言い難い。
【０００７】
そこで、本発明は、正確に一定容積の雪試料を手間をかけることなく採取することができる雪試料採取器を提供することを目的とする。
【課題を解決するための手段】
【０００８】
かかる目的を達成するため、請求項１記載の雪試料採取器は、桿部と、軸方向の一端が開口した筒形状を有し開口側とは反対側の端部に桿部の一端が連結されると共に開口側の端部に開口面と平行に配置された雪切断部材を備える試料採取部とを有し、積雪に差し込まれた試料採取部が回転することによって雪切断部材が試料採取部の開口側の端部で開口面と平行に回転して試料採取部内に取り込んだ雪と試料採取部の外側の雪とを切断するようにしている。
【０００９】
したがって、この雪試料採取器によると、試料採取部を回転させることによって雪切断部材が開口面と平行に回転して試料採取部内の雪と外の雪とを切断し得る。
【００１０】
また、請求項２記載の発明は、請求項１記載の雪試料採取器において、桿部に支点支持部材及び水準器が備えられると共に、支点支持部材に対して試料採取部が連結する側と反対側に桿部に沿って移動する分銅を更に有するようにしている。この場合には、試料採取部が空の状態で分銅を移動させて桿部が水平になるときの分銅の位置と試料採取部に雪試料を取り込んだ状態で分銅を移動させて桿部が水平になるときの分銅の位置とによって、試料採取部に取り込んだ雪試料の密度が測定される。
【００１１】
また、請求項３記載の発明は、請求項１記載の雪試料採取器において、桿部が折り曲げ可能であるようにしている。この場合には、使用していないときは桿部を折り曲げることによってコンパクトになる。
【発明の効果】
【００１２】
請求項１記載の雪試料採取器によれば、試料採取部が回転することによって雪切断部材が開口面と平行に回転して試料採取部内の雪と外の雪とが切断されるので、雪試料の取り込みと取り込んだ雪試料を一定容積にするためのすり切りとを雪試料採取のための容器を単に回転させることのみによって同時に行うことができ、雪試料採取のための作業を簡略化して作業時間を短縮することが可能になる。しかも、本発明の雪試料採取器によれば、試料採取部内に取り込んだ雪と試料採取部の外側の雪とを切断することができるので、試料採取部を積雪から引き抜く際の試料の乱れを回避すると共に一定容積の試料を確実に採取することができ、採取する雪試料の容積の精度を向上させることが可能になる。さらに、本発明の雪試料採取器によれば、特に、雪試料を多数採取する場合の作業の手間を大幅に軽減することができるので、多数の試料のデータを用いることによってデータ精度を向上させることが容易に可能になる。
【００１３】
また、請求項２記載の雪試料採取器によれば、一定容積の雪試料の採取に加えて雪試料の密度の測定を雪試料採取器のみによって行うことができるので、雪試料の密度を測定するために別の器材を用いるという手間を省いて雪試料密度測定のための作業を簡略化することができ作業時間を短縮することが可能になる。しかも、本発明によれば、高い精度で一定容積の雪試料を採取することができるので、高い精度で雪密度の測定を行うことが可能になる。
【００１４】
また、請求項３記載の雪試料採取器によれば、使用していないときは桿部を折り曲げることによってコンパクトにすることができるので、雪試料採取器の携帯を容易にすることが可能になる。
【発明を実施するための最良の形態】
【００１５】
以下、本発明の構成を図面に示す最良の形態に基づいて詳細に説明する。
【００１６】
図１及び図２に、本発明の雪試料採取器の実施形態の一例を示す。この雪試料採取器１は、桿部５と、軸方向の一端が開口した筒形状を有し開口側とは反対側の端部に桿部５の一端が連結されると共に開口側の端部に開口面と平行に配置された雪切断部材２ｂを備える試料採取部２とを有し、積雪に差し込まれた試料採取部２が回転することによって雪切断部材２ｂが試料採取部２の開口側の端部で開口面と平行に回転して試料採取部２内に取り込んだ雪と試料採取部２の外側の雪とを切断するものである。
【００１７】
雪試料採取器１は、大きくは、試料採取部２と、試料採取部２と連結する桿部５とから構成される。なお、本実施形態では、桿部５は第一桿部３と第二桿部４とから構成される。
【００１８】
試料採取部２は、バレル２ａ並びにバレル２ａに設けられた雪切断部材２ｂ及び接続部２ｅを有する。
【００１９】
バレル２ａは、積雪に差し込まれた際に内部に雪試料を取り込んで保持するためのものである。バレル２ａは円筒状に形成され、一方の端部は開口し、本実施形態では他方の端部に底板２ｄを有する。そして、底板２ｄの外側面のほぼ中央に突起する接続部２ｅが設けられている。なお、以降では、バレル２ａの開口端面を先端面２ｃと呼ぶ。なお、バレル２ａの大きさは特定の大きさに限定されるものではなく、密度を測定する際の雪試料の容積が予め決められている場合にはそれに合わせたり、採取する積雪の場所などを考慮して作業者が適宜調整したりする。
【００２０】
雪切断部材２ｂは、バレル２ａの先端面２ｃ若しくはその近傍に先端面２ｃと平行に設けられ、雪試料採取器１が回転することによって先端面２ｃと平行に回転してバレル２ａ内に取り込んだ雪試料とバレル２ａ外側の積雪とを切断する。
【００２１】
このため、雪切断部材２ｂは、図２に示すように、バレル２ａの軸直角断面の中心若しくは中心の近傍を通るように配置され両端がバレル２ａの周壁の先端部に取り付けられる。そして、雪切断部材２ｂは、バレル２ａを積雪に差し込んでバレル２ａ内に雪試料を取り込む際に障害物にできる限りならないと共に先端面２ｃと平行に回転することにより先端面２ｃ若しくはその近傍においてバレル２ａ内に取り込んだ雪試料とバレル２ａ外側の積雪とを切断可能なものであれば良い。具体的には、例えばピアノ線等の糸状のもの（図２（Ａ））、又は、例えばステンレス板等の長方形薄板状のもの（図２（Ｂ），（Ｃ））などが用いられる。
【００２２】
雪切断部材２ｂとして薄板状のものを用いる場合には、当該雪切断部材２ｂをバレル２ａの周壁の先端部に、不動に固定して取り付けるようにしても良いし（図２（Ｂ））、長手方向の二辺のうちの一辺を軸心として回転可能に支持して取り付けるようにしても良い（図２（Ｃ））。
【００２３】
そして、薄板状の雪切断部材２ｂをバレル２ａの周壁の先端部に不動に固定して取り付ける場合には、バレル２ａを積雪に差し込んでバレル２ａ内に雪試料を取り込む際に障害物にできる限りならないようにするため、薄板状の雪切断部材２ｂの面が先端面２ｃに対して垂直になるようにすることが望ましい。
【００２４】
また、薄板状の雪切断部材２ｂをバレル２ａの周壁の先端部に回転可能に取り付ける場合には、バレル２ａが積雪に差し込まれる際には薄板状の雪切断部材２ｂはバレル２ａの進行方向と平行即ちバレル２ａの先端面２ｃと垂直方向になるのでバレル２ａ内に取り込む雪試料が乱れることがなく、また、バレル２ａが回転する際には薄板状の雪切断部材２ｂはバレル２ａの先端面２ｃと平行になるのでバレル２ａ内に取り込んだ雪試料とバレル２ａ外側の雪試料との境界を乱すことなく雪を切断することができる。
【００２５】
なお、雪試料切断部２ｂは、本実施形態では、バレル２ａの先端面２ｃに設けるようにしているが、これに限られるものではなく、バレル２ａの内側でも良い。
【００２６】
また、雪切断部材２ｂは、本実施形態のように一本には限られず、複数本（若しくは複数枚）であっても構わない。
【００２７】
また、バレル２ａが積雪に差し込まれて雪試料を採取する際のバレル２ａ内の空気を抜くための空気穴（図示省略）を設けることが好ましい。空気穴は、バレル２ａ内に取り込んだ雪試料が落ちない程度の大きさで、バレル２ａの底板２ｄ或いは底板２ｄ近傍の周壁に設けられる。これにより、バレル２ａ内に雪試料を取り込む際にバレル２ａ内の空気はこの空気穴から押し出されるので、バレル２ａ内に溜まって雪試料によって圧縮される空気が先端面２ｃから無理に外部に出ようとすることがない。したがって、雪試料をバレル２ａ内に取り込む際の試料の乱れの発生を防ぐことができる。
【００２８】
第一桿部３は、試料採取部２と第二桿部４との間に設けられて第二桿部４と共に雪試料採取器１の桿部５を構成するものであり、一端が試料採取部２の接続部２ｅと連結すると共に他端が第二桿部４と連結する。本実施形態では、第一桿部３は対向して平行に配置された二枚の長方形をなす板状部材３ａ，３ａからなり、この板状部材３ａの両端には貫通孔が設けられている。そして、対向する二枚の板状部材３ａ，３ａの一方の端部が試料採取部２の接続部２ｅを挟むと共に板状部材３ａ，３ａの貫通孔と接続部２ｅの貫通孔とを貫通するねじ３ｂによってねじ止めされて試料採取部２と第一桿部３とが連結される。
【００２９】
第二桿部４は、本実施形態では、対向して平行に配置された二枚の長方形をなす板状部材４ａ，４ａと、板状部材４ａ，４ａの第一桿部３と反対側（即ち、桿部５の試料採取部２と反対側）の端部によって挟まれて当該端部を固定する端部材４ｂと、二枚の板状部材４ａ，４ａの間に板状部材４ａ，４ａと平行に配置されるガイドバー４ｃと、中央にガイドバー４ｃを貫通させる貫通孔を有しガイドバー４ｃに摺動可能に支持される分銅４ｄと、板状部材４ａに取り付けられて桿部５の水平状態を確認するための水準器４ｅとを有する。
【００３０】
板状部材４ａの第一桿部３側の端部には貫通孔が設けられている。そして、対向する二枚の板状部材４ａ，４ａの第一桿部３側の端部が第一桿部３の二枚の板状部材３ａ，３ａを挟むと共に、第二桿部４の板状部材４ａ，４ａの貫通孔と第一桿部３の板状部材３ａ，３ａの貫通孔とを貫通する回転軸４ｆによって折り曲げ可能に第一桿部３と第二桿部４とが連結される。この構成によって、本実施形態の雪試料採取器１は、使用していないときは桿部５を折り曲げることによってコンパクトにすることができるので携帯が容易になる。
【００３１】
ここで、本実施形態の雪試料採取器１は、バレル内に取り込んだ雪試料の密度を測定する機能を持つものである。雪試料採取器１による雪試料密度測定の基本的な考え方は、バレル２ａが空の状態と雪試料を取り込んだ状態とにおいて、分銅４ｄを移動させて桿部５を水平にし、それぞれの状態の分銅４ｄの位置から雪試料の密度を求めるというものである。
【００３２】
本実施形態では、分銅４ｄを移動させて桿部５を水平にする際の支点を回転軸４ｆとしている。そして、雪試料採取器１は回転軸４ｆを支持するための支点支持部材４ｇを有する。支点支持部材４ｇは、上端部分を例えば作業者が手で持って、桿部５が回転軸４ｆを支点として揺動可能であるように回転軸４ｆを支持するものである。具体的には例えば、下端が環状に形成され、当該環状部分で回転軸４ｆを摺動可能に支持する構造が考えられる。
【００３３】
そして、雪試料採取器１は、バレル２ａが空であると共に分銅４ｄが移動可能な範囲の最も回転軸４ｆ寄りの位置に分銅４ｄを移動させた状態で桿部５が水平になるようにバレル２ａや水準器４ｅ等の重量を包括した全体の釣り合いが調整される。なお、本実施形態では、上記状態において桿部５が水平になるように端部材４ｂの重量が調整されている。
【００３４】
分銅４ｄは、中央を貫通するガイドバー４ｃに沿って（即ち、板状部材４ａ，４ａと平行に）移動する。そして、バレル２ａが空の状態と雪試料を取り込んだ状態とにおいて回転軸４ｆを支点にして桿部５を水平にする。
【００３５】
分銅４ｄの重量は、バレル２ａ内に密度が１．０（ｇ／ｃｍ３）である雪試料が充填された場合の当該バレル２ａ内の雪の重量に調整される。すなわち、バレル２ａの容積がＶc（ｃｍ３）である場合には、分銅４ｄの重量はＶc（ｇ）になる。
【００３６】
また、ガイドバー４ｃと板状部材４ａ，４ａとのうちの少なくとも一つに分銅４ｄの位置によってバレル２ａ内の雪試料の密度を測定するための目盛が付けられる。雪試料密度測定のための目盛りは以下の手順によって付けられる。
１）最も回転軸４ｆ寄りの位置に移動させたときの分銅４ｄの位置に目盛りゼロを
付ける。
すなわち、バレル２ａが空の状態で桿部５が水平になるときの分銅４ｄの位置
に基準としてのゼロを付ける。
また、例えば分銅４ｄの中央や桿部５方向のどちらかの端面の位置を分銅４ｄ
の位置の基準とする。
２）バレル２ａの容積中心に、バレル２ａの容積Ｖc（ｃｍ３）×１（ｇ／ｃｍ３）の
重量の錘をかける。
３）分銅４ｄを端部材４ｂ側に徐々に移動させる。
４）桿部５が水平になるときの分銅４ｄの位置に目盛り１を付ける。
５）分銅４ｄの位置の計測を容易にするために、目盛りゼロと目盛り１との間を例
えば１０等分した目盛り（即ち０．１刻みの目盛り）や２０等分した目盛り
（即ち０．０５刻みの目盛り）を付ける。
【００３７】
以上の、バレル２ａが空の状態における桿部５の水平の達成と目盛りの付与とによって、バレル２ａ内に雪試料を取り込んだ状態で桿部５が水平になるときの分銅４ｄの位置からバレル２ａ内の雪試料の密度が測定される。なお、上記手順によって付与した目盛りの数値がそのままバレル２ａ内に取り込んだ雪試料の密度である。
【００３８】
また、雪試料採取器１による雪試料密度の測定範囲を０から例えば０．６（ｇ／ｃｍ３）の範囲にする場合には、バレル２ａ容積Ｖc（ｃｍ３）×０．６の重量の錘をバレル２ａの容積中心にかけると共に、分銅４ｄを徐々に移動させて桿部５が水平になるときの分銅４ｄの位置に目盛り０．６を付けるようにしても良い。
【００３９】
なお、以上の構成と手順とによってバレル２ａ内の雪試料の密度を測定するため、バレル２ａの容積中心と回転軸４ｆの質量中心と端部材４ｂの質量中心と分銅４ｄの質量中心とが一直線上に存在するように雪試料採取器１の構造は調整される。
【００４０】
以上のように構成された雪試料採取器１によれば、バレル２ａを積雪に差し込んでバレル２ａ内が積雪によって完全に充填されたことを確認してからバレル２ａを回転させた後バレル２ａを積雪から引き抜き、バレル２ａ内に雪試料を取り込んだ状態で分銅４ｄを移動させて桿部５が水平になるときの分銅４ｄの位置を読み取ることによってバレル２ａ内の雪試料の密度を測定することができる。なお、バレル２ａ内に取り込んだ雪試料とバレル２ａ外側の積雪とを確実に切断するため、バレル２ａは少なくとも１回以上回転させ、２回以上回転させることが好ましい。
【００４１】
そして、本発明の雪試料採取器１によれば、雪試料採取のための作業を簡略化して作業時間を短縮することが可能になると共に、試料採取部２を積雪から引き抜く際の試料の乱れを回避すると共に一定容積の試料の採取を確実に行えるようにして採取する雪試料の容積の精度を向上させることが可能になる。さらに、雪試料採取器１によれば、雪試料の密度を測定するために別の器材を用いるという手間を省いて雪試料密度測定のための作業を簡略化して作業時間を短縮することが可能になると共に、高い精度で一定容積の雪試料を採取して雪密度の測定を行うことが可能になる。また、雪試料採取器１によれば、使用していないときは桿部を折り曲げることによってコンパクトにすることができるので、雪試料採取器の携帯を容易にすることが可能になる。
【００４２】
なお、上述の形態は本発明の好適な形態の一例ではあるがこれに限定されるものではなく、本発明の要旨を逸脱しない範囲において種々変形実施可能である。例えば、本実施形態では、試料採取部２に桿部５が連結されている構造としているが、これに限られず、場合によっては桿部５を有しない構造とし、試料採取部２のみを高い精度で一定容積の雪試料を採取する雪試料採取器として用いるようにしても良い。
【００４３】
また、本実施形態では、回転軸４ｆを備えて第一桿部３と第二桿部４とからなる桿部５が折り曲げられるようにしているが、これに限られず、桿部５を一本の棹状部材によって構成するようにしても良い。
【００４４】
また、本実施形態では、対向する二枚の板状部材３ａ，３ａの一方の端部の貫通孔と試料採取部２の接続部２ｅの貫通孔とを貫通するねじ３ｂによってねじ止めされて試料採取部２と第一桿部３とが連結されるようにしているが、これに限られず、第一桿部３の端部（即ち桿部５の端部）が雄ねじを備えるようにすると共に接続部２ｅに雌ねじが形成されて当該ねじによって連結されるようにしても良い。
【００４５】
また、本実施形態では、第一桿部３は対向して平行に配置された二枚の長方形をなす板状部材３ａ，３ａからなるようにしているが、これに限られず、第一桿部３を一本の棒状部材によって構成するようにしても良い。また、第二桿部４についても、本実施形態では、対向して平行に配置された二枚の長方形をなす板状部材４ａ，４ａからなるようにしているが、桿部に沿って分銅４ｄを移動させることが可能な構造であれば、本実施形態の構造には限られない。
【図面の簡単な説明】
【００４６】
【図１】本発明の雪試料採取器の実施形態の一例の構造を示す図である。（Ａ）は側面図である。（Ｂ）は平面図である。
【図２】本実施形態の雪試料採取器のバレルの雪切断部材の概略構造を説明する図である。（Ａ）は糸状の雪切断部材を説明する図である。（Ｂ）は薄板状の部材であって不動に固定されて取り付けられる雪切断部材を説明する図である。（Ｃ）は薄板状の部材であって回転可能に固定されて取り付けられる雪切断部材を説明する図である。
【符号の説明】
【００４７】
１  雪試料採取器
２  試料採取部
２ｂ  雪切断部材
５  桿部
【図１】
0004944810.tif 000002
【図２】
0004944810.tif 000003